(57)【要約】      （修正有）【課題】衣服の機能を高めることのできる部品を衣服の自由な位置に着脱可能とし、衣服の機能を向上させる手段を提供する。【解決手段】本発明は衣服１と装着体２からなり、衣服１は装着体２の鉤状部品３の鉤部が係留するに十分な、繊維４によって形成される隙間を有するような布地、又はループ上繊維５が複数布地の表面に林立する布地、もしくは鉤状部品３の鉤部が絡みつくのに十分なほど毛羽立ちした繊維４を表面にもつ布地からなるもので、装着体２は鉤状部品３を単数もしくは複数、装着体２の一面に設け、磁石、温熱材、冷却材あるいは芳香剤等を有するもの、もしくはポケット状のもので、装着体２を衣服１の内側に保持することを特徴とする。【選択図】図１
2004183199.tif 000002
【特許請求の範囲】
【請求項１】
衣服と装着体から成り、装着体の一面には鉤状部品を単数又は複数取り付け、衣服の内側から、装着体に設けた鉤状部品を、衣服の繊維又は衣服上に設けられた繊維に係留しあるいはからみつかせることにより、装着体を衣服の内側に装着することを特徴とする衣服。
【発明の詳細な説明】
【発明の詳細な説明】
【技術分野】
【０００１】本発明は磁石、温熱材、冷却材あるいは芳香剤等を有する部品もしくはポッケット等の部品を用意に衣服に脱着可能かつ位置の変更を可能とし、容易に機能を追加し高めることのできる衣服に関するものである。
【背景技術】
【０００２】従来より衣服の機能を高める方法としては、例を挙げると、ポケットや温熱材、冷却材あるいは磁石等の部品を装着する方法があるが、その装着する方法は各種存在する。その技術としては（イ）粘着性のあるテープもしくは接着剤で固定する方法（ロ）面ファスナー、あるいはスナップボタンの雄部と雌部を装着体と衣服とに取り付けその接着力により固定する方法（ハ）網目上の生地により縫製された衣服を挟み込むことにより、もしくは縫いこむことにより固定する方法が存在する。
【発明が解決しようとする課題】
【０００３】上記従来の機能追加型衣服のほとんどは、装着体を接着剤で固定したり、糸で縫いとめたりするため、一旦固定してしまうとその後自由に位置を変えることができないという欠点がある。機能を高めるための温熱体や冷却体をいれるポケットをあらかじめ衣服に設けたり、装着体をあらかじめ特定の位置に保持するための雌面ファスナーやスナップボタン雌部を衣服の方に設け、衣服本体にも対応する雄面ファスナーやスナップボタン雄部を設けて着脱自在にした平１０−３１４３２０号公報のような方法もあるが、衣服そのものに着脱自在にするための装置や部品を固着するのに大幅な手間がかかるうえ、その保持位置も、固定するための部品がある所に限定されてしまうため、本質的な解決にならない。
【０００４】また装着体を装着するための仕組みを衣服に備えるために、衣服そのものを大きく加工しなければならなくなるので衣服の縫製や加工が煩雑となるという欠点を有する。
【０００５】さらに、特許公開２００２−０８８５４６のように布地を挟みこむ方法は衣服の表面、裏面双方に装着体が存在することになり、いずれか一方の部品が剥離するだけで装着体が衣服から外れてしまい装着確実性に疑問が残る。この欠点は衣服等を重ねて着る場合を考えるとわかるが、重ね着た衣服を脱いだり着たりする度に、部品に対するこすれ、摩擦が生じるため、その欠点が顕著となる。
【０００６】また、この方法では衣服のいずれか一方側だけに装着すれば十分用をなす装着体にたいしても、反対面からの部品による補強が不可欠となり、美観を著しく害する。
【０００７】装着体を衣類や器具の布地に直接固着させる方法は、布地を直接洗濯する際に装着体ともに洗濯せねばならないという問題点が生じる。場合によっては洗濯器具や当該布地そのものが洗濯によって破損する恐れがある。
【０００８】本発明は、前記従来の技術の欠点を鑑みて、衣服の機能を高める部品を衣服に自在に好きな位置に着脱可能とし、装着時には確実に固定できるようにし、なおかつ上記従来の技術の欠点を克服し、衣服の機能を簡単に高めることを目的とする。
【課題を解決するための手段】
【０００９】上記課題を解決するため、本発明においては、鉤状部品を単数もしくは複数設けた装着体と、装着体を装着する先である衣服とからなる。
【００１０】装着体は、磁石、温熱材、冷却材あるいは芳香剤等を有する部品を有するか、当該部品そのものであり、もしくはポッケット状の部品であり、その装着体の一面には単数あるいは複数の鉤状の部品が備え付けられている。
【００１１】衣服は以下のような素材のいずれか、もしくは以下のような素材を組み合わせたものからなる。（イ）鉤状部品の鉤部が係留するに十分な、繊維４によって形成される隙間を有するような布地。（ロ）ループ上の繊維が複数布地の表面に林立する布地。（ハ）鉤状部品の鉤部が絡みつくのに十分なほど毛羽立ちした繊維を表面にもつ布地。
【００１２】本発明は、以上の構成よりなる衣服である。
【発明を実施するための最良の形態】
【００１３】以下、本発明の実施の形態を図示例と共に説明する。【００１４】図１〜図６は発明を実施する形態の一例であって、図中、図と同一の符号を付した部分は同一物を表わしている。【００１５】図１は当発明の一実施例を示す図である。この図によって本発明全体の実施状態の概要が示されている。図１は衣服１の代表としてチョッキ上に縫製した場合を例としているが、衣服として縫製可能であればその形状はタンクトップ状、サポーター状等形状を問わない。図１では衣服１の内側に装着体２が装着されており、これを着用することにより、着用した者は装着体２の有する機能を享受することができることになる。【００１６】図２は装着体２を詳細に説明した断面図である。装着体２には装着体２の一面に鉤状部品３が単数もしくは複数取り付けられている。この鉤状部品３の装着体２への固定方法は縫い付ける方法や接着剤を使う方法等、その固定方法は問わない。【００１７】尚、装着体２は衣服１に装着できるに十分な重量、形状、であれば、磁石や温熱剤や冷却材や芳香剤等の部品、あるいはこれら磁石や温熱剤や冷却材や芳香剤その他複数の部品から構成される物体でも良い。【００１８】以上を踏まえて装着体２を衣服１にどのように装着するのか、その原理を説明する。【００１９】図３は衣服１を構成する布地に、鉤状部品３の鉤部が係留するに十分な、繊維４によって形成される隙間を有するような布地を使用した場合を示している。【００２０】装着体２を衣服１に取り付ける場合は、装着体２を衣服１の裏面から、装着体２に取り付けられた鉤状部品３が衣服１の方に密着するように、押し付ける。すると装着体２に取り付けられた鉤状部品３の鉤部が、衣服１を構成する繊維４に図３に見られるように、引っかかり係留される。装着体２に取り付けられた鉤状部品３が多いほど、このような係留個所も広範囲におよび、その固着力は増す。【００２１】図４は衣服１の素材としてループ上繊維５が複数、布地の表面に林立する布地を使用した場合であるが、この場合は、装着後の状態は図４のように装着体２に取り付けられた鉤状部品３が、布地に林立したループ上繊維５のループ部に引っかかり係留されることにより装着体２が衣服１に保持される。【００２２】図５は衣服１の素材として鉤状部品３の鉤部が絡みつくのに十分なほど毛羽立ちした繊維４を表面にもつ布地を使用した場合である。【００２３】この場合も衣服１を構成する繊維４が衣服１の表面上で毛羽立っているか、その繊維がループを形成するか否かという点が、すでに説明された方法と異なるだけであり、原理はすでに説明された方法と同じである。【００２４】すなわち、図５のように装着体２に取り付けられた鉤状部品３が、布地に林立した繊維４の毛羽立部分に引っかかり、からみつき、係留されることにより装着体２が衣服１に保持される。【００２５】装着体２を衣服１から取り外したいときは、単に装着体２を衣服１から引き剥がすように剥離すればよい。このように取り外した装着体２は衣服１の好きな位置で何度も再装着が可能である。【００２６】本発明では装着体２が衣服１の内側に固定される。このように衣服１の内側から装着することにより、常に人体の側から衣服の側の方向に、装着体２に対し人体からの圧力がかかるので、自然と装着体２の衣服１に対する癒着力が増す。【００２７】尚、本発明は、上述の図示例にのみ限定されるものではなく、本発明の要旨を逸脱しない範囲内において種々変更を加え得ることは勿論である。
【発明の効果】
【００２８】本発明は衣服の自由な位置に装着体を脱着させることができるので、衣服の機能を自由に変更することができる。
【００２９】たとえば、装着体として温熱体を有するものにすれば、自由な位置を暖められる温シップとして機能し、逆に冷却材を有するものにすれば、自由な位置を冷やせる冷シップとして機能する。また装着体として袋状に縫製した布地に鉤状部品を設けた図６のような部品を用いれば自由な位置に装着可能な自在内ポケットとしても機能する。
【００３０】さらに吸収性の高い素材を用いてこの素材に薬剤等を染み込ませて使用すれば、患部に直接長時間あてがうことが可能となり、医療の現場でもその有効性を生かすことが可能となる。
【００３１】本発明では、装着体は原則として、衣服の内側に固定されることになる。これによって、衣服の表側からは、装着体は見えないため、衣服としての美観を損なわない。その上このように衣服の内側に固定することにより、装着体はより人体の方に触れるため、装着体の機能が人体に与える影響は大きくなる。たとえば装着体として温熱体を有するもの薬剤を染み込ませたものを用いた場合を考えると、明らかに衣服の表側に固定した時より、人体に与える効果は激増する。
【００３２】また、装着体は脱着自在なので、衣服の洗濯も容易であり、清潔性においても十分な要件を満たす。
【図面の簡単な説明】
【図１】  本発明の一実施例を示す全体図である。
【図２】  本発明の一実施例を示す断面図である。
【図３】  本発明の一実施例を示す斜視図である。
【図４】  本発明の一実施例を示す拡大図である。
【図５】  本発明の一実施例を示す拡大図である。
【図６】  本発明の一実施例を示す斜視図である。
【符号の説明】
１    衣服
２    装着体
３    鉤状部品
４    繊維
５    ループ状繊維
【図１】
2004183199.tif 000003
【図２】
2004183199.tif 000004
【図３】
2004183199.tif 000005
【図４】
2004183199.tif 000006
【図５】
2004183199.tif 000007
【図６】
2004183199.tif 000008